(57)【要約】【課題】濾材が浮上し難く、濾材の収容および取り出しが容易である雨水濾過器を提供する。【解決手段】雨水濾過器１は、外筒３０と、内筒４０と、濾材が収容された濾材袋５０と、濾材袋５０に着脱自在に取り付けられた浮上防止部材６０とを備える。浮上防止部材６０は、複数の貫通孔６３が形成された板状部材６１と、板状部材６１から上方に延びる持ち手６２とを有している。持ち手６２には、ガイド突起６６ａが設けられている。内筒４０には、ガイド突起６６ａと係合する係合溝が形成されている。係合溝にガイド突起６６ａを係合させて浮上防止部材６０を回転させることによって、浮上防止部材６０が内筒４０に固定されている。【選択図】図４
2012026080.tif 000002
【特許請求の範囲】
【請求項１】
雨水管路中に配設される雨水濾過器であって、
流入口と前記流入口よりも低い位置に形成された流出口とが設けられ、その上部が蓋によって開閉自在に塞がれ、底板を有する外筒と、
前記外筒の前記流出口につながる流出口が設けられ、その下部に内外を貫く連通部を有し、前記外筒の内部に配置された内筒と、
少なくともその上部および下部が雨水の流通が可能に形成され、その内部に濾材が収容され、前記内筒の内部且つ前記内筒の流出口よりも低い位置に配置される変形可能な濾材袋と、
前記濾材袋の上部に固定され且つ複数の貫通孔が形成された板状部材と、前記板状部材から上方に延びる持ち手とを有し、前記濾材の浮上を防止する浮上防止部材と、を備え、
前記浮上防止部材および前記内筒のいずれか一方に係合溝が形成され、他方に前記係合溝に係合可能な係合突部が形成され、
前記係合溝に前記係合突部を係合させて前記浮上防止部材を前記内筒に対して回転させることによって、前記浮上防止部材が前記内筒に固定されている、雨水濾過器。
【請求項２】
前記貫通孔は、前記板状部材の全面にわたって形成され、
前記貫通孔の開口面積の合計は、前記外筒の前記流入口の開口面積以上であり、
前記板状部材の平面視における外側の輪郭の形状および寸法は、前記内筒の平面視における内側の輪郭の形状および寸法と略同一である、請求項１に記載の雨水濾過器。
【請求項３】
前記持ち手は、前記板状部材の上面に固定された縦棒と、前記縦棒から前記内筒の半径方向外向きに突出し、前記係合突部を構成するガイド突起とを有し、
前記係合溝は、前記内筒の上端から上下方向または斜め上下方向に延びる縦溝と、前記縦溝の下端から前記内筒の円周方向に延びる横溝とからなっている、請求項１または２に記載の雨水濾過器。
【請求項４】
前記浮上防止部材が前記内筒に固定されるときの回転方向と逆方向に回転することを防止するように、前記横溝に係合している前記ガイド突起が前記縦溝側に移動することを阻止する逆回転防止機構を備えている、請求項３に記載の雨水濾過器。
【請求項５】
前記横溝の奥側には、段差を介して上下方向に広がる幅広部が形成されており、
前記幅広部が前記逆回転防止機構を構成している、請求項４に記載の雨水濾過器。
【請求項６】
前記内筒は円筒形状に形成され、
前記濾材袋は、前記内筒の内径以上の外径を有する円筒状の上部と、下方に向かって先細り状の下部とを有している、請求項１〜５のいずれか一つに記載の雨水濾過器。
【請求項７】
前記濾材袋は、通水性を有する密封袋からなり、前記板状部材に着脱自在に取り付けられている、請求項１〜６のいずれか一つに記載の雨水濾過器。
【請求項８】
前記濾材袋には、少なくとも一対の紐状または帯状の結束部材が設けられ、
前記濾材袋は、前記一対の結束部材が前記板状部材の貫通孔を貫通して互いに固定されることによって、前記板状部材に取り付けられている、請求項７に記載の雨水濾過器。
【発明の詳細な説明】
【技術分野】
【０００１】
本発明は、雨水濾過器に関する。
【背景技術】
【０００２】
地上に降り注いだ雨水は、例えば雨樋、側溝、雨水管等からなる雨水管路を通じて河川等に放流され、あるいは、いわゆる合流式の下水道の場合、雨水管路および下水管路を通じて下水処理施設に送られる。雨水には、大気中に浮遊する微粒子が含まれる場合がある。また、道路には、例えば自動車の排気ガスに含まれる微粒子やアスファルトの摩耗塵等が堆積している場合がある。それらの物質は、雨水によって流され、雨水と共に雨水管路に流れ込む。そのため、雨水管路に流れ込む雨水には、河川等の水質汚濁の原因となる物質（以下、汚濁物質という）が含まれる場合がある。
【０００３】
雨水から汚濁物質を取り除くための装置として、雨水濾過器が知られている（例えば、特許文献１および２参照）。雨水管路中に雨水濾過器を設けることにより、雨水に含まれる汚濁物質を除去することができ、河川等に対して、よりきれいな雨水を放流することができる。
【０００４】
特許文献１には、雨水を濾過する排水処理装置が開示されている。この排水処理装置は、地中に埋設された桝ブロックと、桝ブロックに出し入れ可能な筒状濾過器とを備えている。この筒状濾過器は、円筒状の筒状体と、筒状体の上端および下端を塞ぐための円形状のメッシュ状の布と、筒状体の内部に収容される濾材とを備えている。上記布は筒状体の上端部および下端部に被せられ、ステンレス製の固定バンドで筒状体の外周面に押さえつけられることにより、筒状体に固定される。筒状体の外周面の上側部分および下側部分には、周方向に延びる溝が形成されている。これらの溝には、円環状のゴム製の固定部材が嵌め込まれている。固定部材には、斜め上方且つ筒状体の半径方向外向きに突出する止水突片が設けられている。筒状濾過器を桝ブロックに挿入すると、固定部材の止水突片が桝ブロックの内面に対して摺動し、止水突片が桝ブロックの内面と密着した状態で変形する。この止水突片により、筒状体の外周面と桝ブロックの内面との間がシールされる。
【０００５】
特許文献２には、外筒と内筒とを備えた雨水濾過器が開示されている。この雨水濾過器は、内筒内に配置されたステンレス製ネットからなる上部フィルタ板および下部フィルタ板と、上部フィルタ板と下部フィルタ板との間に配置された袋体とを有している。袋体の内部には、濾材が収容されている。上部フィルタ板は、内筒に対して着脱自在に取り付けられている。
【先行技術文献】
【特許文献】
【０００６】
【特許文献１】特許第３３４８０７８号公報
【特許文献２】実用新案登録第３１４８９２１号公報
【発明の概要】
【発明が解決しようとする課題】
【０００７】
濾材を有する雨水濾過器では、濾材が浮上して流出口を塞がないように、濾材の浮上を防止する必要がある。一方、雨水濾過器の組立時または濾材のメンテナンス（例えば、濾材の洗浄または交換）時に、濾材を収容する作業や取り出す作業が必要となる。
【０００８】
特許文献１に開示された排水処理装置では、固定部材の止水突片と桝ブロックの内面との間の摩擦力によって、筒状体の浮上が防止され、ひいては濾材の浮上が防止される。しかし、上記摩擦力をある程度大きくする必要があるため、筒状体を桝ブロック内に挿入する際には、その摩擦力に打ち勝つような大きな力で筒状体を挿入しなければならない。そのため、筒状体を挿入する作業が面倒である。また、筒状体を桝ブロックから取り出す際にも、上記摩擦力に打ち勝つような大きな力で筒状体を引き上げなければならない。そのため、筒状体を取り出す作業も面倒である。したがって、特許文献１に開示された排水処理装置では、濾材を収容する作業および取り出す作業が面倒であった。
【０００９】
特許文献２に開示された雨水濾過器では、濾材の浮上は上部フィルタ板によって防止される。上部フィルタ板は内筒に対して着脱自在に取り付けられている。しかし、雨水濾過器の外部から上部フィルタ板を取り付ける作業および取り外す作業は、必ずしも容易ではない。したがって、上記雨水濾過器は、濾材を収容する作業および取り出す作業に関して、未だ改善の余地があるものであった。
【００１０】
本発明はかかる点に鑑みてなされたものであり、その目的とするところは、濾材が浮上し難く、濾材の収容および取り出しが容易である雨水濾過器を提供することにある。
【課題を解決するための手段】
【００１１】
本発明に係る雨水濾過器は、雨水管路中に配設される雨水濾過器であって、流入口と前記流入口よりも低い位置に形成された流出口とが設けられ、その上部が蓋によって開閉自在に塞がれ、底板を有する外筒と、前記外筒の前記流出口につながる流出口が設けられ、その下部に内外を貫く連通部を有し、前記外筒の内部に配置された内筒と、少なくともその上部および下部が雨水の流通が可能に形成され、その内部に濾材が収容され、前記内筒の内部且つ前記内筒の流出口よりも低い位置に配置される変形可能な濾材袋と、前記濾材袋の上部に固定され且つ複数の貫通孔が形成された板状部材と、前記板状部材から上方に延びる持ち手とを有し、前記濾材の浮上を防止する浮上防止部材と、を備え、前記浮上防止部材および前記内筒のいずれか一方に係合溝が形成され、他方に前記係合溝に係合可能な係合突部が形成され、前記係合溝に前記係合突部を係合させて前記浮上防止部材を前記内筒に対して回転させることによって、前記浮上防止部材が前記内筒に固定されているものである。
【００１２】
なお、ここでいう「回転」には、浮上防止部材が内筒の軸方向に移動せずに回転する場合の他、内筒の軸方向に移動しながら回転する場合も含まれる。
【００１３】
上記雨水濾過器によれば、濾材は濾材袋に収容され、濾材袋は浮上防止部材に固定されている。濾材袋は変形可能であるので、濾材袋は内筒に容易に挿入される。作業者は、浮上防止部材の持ち手を掴み、係合突部を係合溝に係合させて浮上防止部材を内筒に対して回転させることによって、浮上防止部材を内筒に固定することができる。そのため、浮上防止部材を内筒に容易に取り付けることができ、濾材袋を内筒内に容易に収容することができる。したがって、濾材を内筒内に容易に収容することができる。また、作業者は、上述の動作と逆の動作を行うことにより、濾材を容易に取り出すことができる。
【００１４】
濾材袋の上方に浮上防止部材が配置されるので、濾材袋の浮上は防止される。また、浮上防止部材は逆回転しないと内筒から外れないので、濾材に作用する浮力や雨水の流れによって浮上防止部材に上向きの力が作用しても、浮上防止部材が浮上してしまうことはない。したがって、濾材の浮上をより確実に防止することができる。
【００１５】
前記貫通孔は、前記板状部材の全面にわたって形成され、前記貫通孔の開口面積の合計は、前記外筒の前記流入口の開口面積以上であり、前記板状部材の平面視における外側の輪郭の形状および寸法は、前記内筒の平面視における内側の輪郭の形状および寸法と略同一であってもよい。
【００１６】
このように、貫通孔の開口面積の合計が外筒の流入口の開口面積以上であることにより、雨水の逆流が抑制される。また、貫通孔が板状部材の全面にわたって形成されているので、雨水は板状部材の全面にわたって比較的均等に流れ、濾材袋の一部が貫通孔内に食い込んでしまうことを抑制することができる。また、平面視において、板状部材が内筒内の全体を塞ぎ、板状部材の外周部と内筒の内周面との間には、実質的に隙間が生じない。そのため、濾材袋の一部が上記隙間に食い込んでしまうことを抑制することができる。その結果、濾材袋の変形が起こりにくく、濾材袋内において濾材の分布が不均一になることが少ないため、濾過機能を良好に保つことができる。
【００１７】
前記持ち手は、前記板状部材の上面に固定された縦棒と、前記縦棒から前記内筒の半径方向外向きに突出し、前記係合突部を構成するガイド突起とを有し、前記係合溝は、前記内筒の上端から上下方向または斜め上下方向に延びる縦溝と、前記縦溝の下端から前記内筒の円周方向に延びる横溝とからなっていてもよい。
【００１８】
このことにより、持ち手にガイド突起が設けられ、また、係合溝が内筒の上端から形成されているので、作業者はガイド突起と係合溝との間の係合状態を視認しやすくなる。そのため、浮上防止部材および濾材袋の取り付けおよび取り外しが容易となる。
【００１９】
前記雨水濾過器は、前記浮上防止部材が前記内筒に固定されるときの回転方向と逆方向に回転することを防止するように、前記横溝に係合している前記ガイド突起が前記縦溝側に移動することを阻止する逆回転防止機構を備えていてもよい。
【００２０】
このことにより、浮上防止部材の逆回転が防止されるので、濾材袋が浮上して流出口を塞いでしまうことを確実に防止することができる。
【００２１】
前記横溝の奥側には、段差を介して上下方向に広がる幅広部が形成されており、前記幅広部が前記逆回転防止機構を構成していてもよい。
【００２２】
このことにより、浮上防止部材が濾材または雨水の流れによって上向きの力を受けていないときには、ガイド突起は幅広部の下側に位置し、下側の段差によって、縦溝側への移動が阻止される。一方、浮上防止部材が上向きの力を受けているときには、ガイド突起は上方へ移動して幅広部の上側に位置するが、上側の段差によって、縦溝側への移動が阻止される。したがって、ガイド突起が縦溝側に移動することはなく、浮上防止部材の逆回転は防止される。このように、簡単な構成で浮上防止部材の逆回転を防止することができる。
【００２３】
前記内筒は円筒形状に形成され、前記濾材袋は、前記内筒の内径以上の外径を有する円筒状の上部と、下方に向かって先細り状の下部とを有していてもよい。
【００２４】
このことにより、濾材袋の上部の外周部と内筒の内周面との間には隙間がなくなるので、雨水が上記隙間をすり抜け、十分に濾過されずに排出されることはない。また、濾材袋の下部は先細り状に形成されているので、内筒に対する濾材袋の挿入が容易となる。なお、濾材袋は変形可能であるので、濾材袋の上部の外径が内筒の内径よりも若干大きくても、濾材袋の一部が内側に変形することにより、濾材袋は内筒内に収容される。
【００２５】
前記濾材袋は、通水性を有する密封袋からなり、前記板状部材に着脱自在に取り付けられていてもよい。
【００２６】
このことにより、濾材袋の取扱性が向上する。濾材を濾材袋ごと交換することとすれば、濾材の交換が容易となる。
【００２７】
前記濾材袋には、少なくとも一対の紐状または帯状の結束部材が設けられ、前記濾材袋は、前記一対の結束部材が前記板状部材の貫通孔を貫通して互いに固定されることによって、前記板状部材に取り付けられていてもよい。
【００２８】
このことにより、板状部材に対する濾材袋の着脱が容易となる。
【発明の効果】
【００２９】
本発明によれば、濾材が浮上し難く、濾材の収容および取り出しが容易である雨水濾過器を提供することができる。
【図面の簡単な説明】
【００３０】
【図１】実施形態に係る雨水濾過器が設けられた雨水管路の構成図である。
【図２】雨水濾過器の内部構成を示す斜視図である。
【図３】蓋を外した状態の雨水濾過器の平面図である。
【図４】雨水濾過器の縦断面図である。
【図５】内筒の上側部分の斜視図である。
【図６】互いに取り外された状態の浮上防止部材および濾材袋の側面図である。
【図７】互いに取り付けられた状態の浮上防止部材および濾材袋の斜視図である。
【図８】変形例に係る浮上防止部材および濾材袋の斜視図である。
【図９】他の変形例に係る内筒の上側部分の斜視図である。
【図１０】他の変形例に係る内筒の上側部分の側面図である。
【図１１】他の変形例に係る浮上防止部材および濾材袋の斜視図である。
【図１２】変形例に係る雨水管路の構成図である。
【図１３】他の変形例に係る雨水管路の構成図である。
【発明を実施するための形態】
【００３１】
図１に示すように、本実施形態に係る雨水濾過器１は、雨水管路２中に配設されており、地中に埋設されたものである。雨水濾過器１は、歩道３の下側に設置されている。雨水濾過器１は、車道４の側溝５と歩道３の側溝６との間に配置されている。雨水濾過器１の流入口２１は流入管２３を介して側溝５に接続され、雨水濾過器１の流出口２２は流出管２４を介して側溝６に接続されている。
【００３２】
図２は雨水濾過器１の内部構成を示す斜視図、図３は雨水濾過器１の蓋２５（図４参照）を外した状態の平面図、図４は雨水濾過器１の縦断面図である。雨水濾過器１は、外筒３０と、内筒４０と、濾材を収容した濾材袋５０と、濾材袋５０が浮上することを防止する浮上防止部材６０とを備えている。
【００３３】
図４に示すように、外筒３０は、塩化ビニル製の円筒状の筒状体３１と、筒状体３１の下端を閉塞する塩化ビニル製の底板３２とを備えている。底板３２は筒状体３１に接着されている。なお、筒状体３１の形状は円筒状に限定されない。筒状体の断面形状は、楕円状であってもよい。また、筒状体３１は、断面が矩形状の角筒であってもよく、断面が五角形以上の多角形状に形成されていてもよい。外筒３０の材料は塩化ビニルに限られない。外筒３０の材料は、その他の樹脂等であってもよい。
【００３４】
外筒３０の上端には、蓋２５が着脱自在に嵌め込まれている。本実施形態では、蓋２５は鋳鉄製であるが、蓋２５の材料は特に限定される訳ではない。本実施形態に係る蓋２５は、貫通孔が形成されていないいわゆる密閉蓋である。外筒３０の上端は差口となり、蓋２５は受口となっている。ただし、外筒３０の上端が受口となり、蓋２５が差口となっていてもよい。蓋２５は着脱自在であるので、蓋２５を取り外すことにより、外筒３０の内部を開放することができる。外筒３０の上端の開口は、地上からメンテナンス等を行う際に用いられる点検口を構成している。
【００３５】
流入口２１および流出口２２は、外筒３０の側面に形成されている。図３に示すように、平面視において、流出口２２は流入口２１の反対側に形成されている。ただし、流出口２２は必ずしも流入口２１の反対側に形成されていなくてもよい。図４に示すように、流出口２２は流入口２１よりも低い位置に設けられている。すなわち、流出口２２の下端は流入口２１の下端よりも低い位置にある。本実施形態では更に、流出口２２の上端が流入口２１の下端よりも低い位置にある。
【００３６】
内筒４０は外筒３０の内部に配置されている。内筒４０は、塩化ビニル製の円筒状の筒状体からなっている。ただし、内筒４０の形状も円筒状に限定されず、他の形状であってもよい。内筒４０は、外筒３０の筒状体３１と異なる形状を有していてもよい。内筒４０の材料も塩化ビニルに限られず、例えば、その他の樹脂等であってもよい。内筒４０の外径は外筒３０の筒状体３１の内径よりも小さく、内筒４０の全長は筒状体３１の全長よりも短い。内筒４０は筒状体３１と同心状に配置されていてもよいが、本実施形態では、内筒４０は筒状体３１に対して偏心した位置に配置されている。
【００３７】
内筒４０の下端は外筒３０の底板３２上に載っている。内筒４０の下端部には、内外を貫く連通孔４１が形成されている。内筒４０における流出口２２に対応する位置には、流出口４２が形成されている。流出口４２は流出口２２と連続している。なお、流出口４２は流出口２２とつながっていればよく、例えば外筒３０と内筒４０とが同心状に配置されている場合には、内筒４０の流出口４２と外筒３０の流出口２２とを、管状部材等を介して連通すればよい。内筒４０の流出口４２よりも高い位置には、オーバーフロー口４３が形成されている。オーバーフロー口４３の下端は流入口２１の下端と略等しい高さに位置している。内筒４０において、流入口２１と対向する位置には、開口は形成されていない。流入口２１と対向する部分は、流入口２１から流れ込んだ雨水を跳ね返す遮壁部４０ａとなっている。内筒４０の上端は開放されている。
【００３８】
図５に示すように、内筒４０には、上端から鉛直下向きに延びる縦溝４５と、縦溝４５の下端から内筒４０の円周方向に延びる横溝４６とが形成されている。これら縦溝４５および横溝４６は、後述するガイド突起６６ａ（図６参照）と係合する係合溝４７を構成している。横溝４６の奥側には、段差４６ａ，４６ｂを介して上下方向に広がる幅広部４６ｃが形成されている。段差４６ａは下側に凹んだ段差であり、幅広部４６ｃの手前部分の下側に形成されている。段差４６ｂは上側に凹んだ段差であり、幅広部４６ｃの手前部分の上側に形成されている。なお、「上下方向に広がる幅広部」とは、必ずしも横溝４６から鉛直方向に延びる９０度の段差を介して上下に広がるものに限らず、本実施形態のように、横溝４６に対して９０度よりも大きな角度をなす段差を介して上下に広がるものも含まれる。内筒４０の上端面における幅広部４６ｃの真上の位置には、目印４８が設けられている。目印４８の具体的構成は何ら限定されないが、本実施形態では目印４８は、例えば黒色、赤色、黄色等の色が付された着色領域によって形成されている。
【００３９】
濾材袋５０は、微小な通水孔が形成された変形可能な袋からなっている。本実施形態では、濾材袋５０はポリエステル製である。ただし、濾材袋５０は通水性を有する他の材料からなっていてもよい。濾材袋５０の内部には、複数の濾材が収容されている。濾材の材料は特に限定されず、例えば、多孔質の発泡ポリプロピレン粒子、活性炭、その他の公知の濾材等を好適に用いることができる。濾材袋５０は、収容した濾材が漏れないように、密閉されている。濾材袋５０は、開口を有しない完全密閉式の袋であってもよいが、開閉自在な開口を有し、その開口が塞がれることによって密閉される半密閉式の密封袋であってもよい。例えば、ファスナーによって塞がれる開口を有する袋であってもよい。また、開口の周囲を紐で締め付けることによって当該開口を塞ぐ袋であってもよい。
【００４０】
図６に示すように、濾材袋５０は、円筒状の上部５１と、下方に向かって先細り状の下部５２とを有している。上部５１の外径は、内筒４０の内径と略等しい。ただし、濾材袋５０が内筒４０に円滑に挿入できる限り、上部５１の外径は内筒４０の内径よりも大きくてもよい。濾材袋５０の上部には、一対のベルト５３が設けられている。ベルト５３は濾材袋５０に接着されていてもよく、濾材袋５０に縫いつけられていてもよい。また、ベルト５３は濾材袋５０と一体的に形成されていてもよい。
【００４１】
浮上防止部材６０は、板状部材６１と持ち手６２とを備えている。板状部材６１は、複数の貫通孔６３が形成された塩化ビニル製の円板からなっている。ただし、板状部材６１の材料は塩化ビニル以外の樹脂であってもよく、他の材料であってもよい。板状部材６１の外径は、内筒４０の内径と略同一である。図３に示すように、貫通孔６３は板状部材６１の全面にわたって設けられている。板状部材６１には、多数の貫通孔６３が分散して形成されている。本実施形態では、貫通孔６３は細長い孔、言い換えるとスリット孔によって形成されている。貫通孔６３は、板状部材６１の中心の周りに、同心円状に周回するような態様で配設されている。ただし、貫通孔６３の形状および配設態様は特に限定される訳ではない。貫通孔６３は、例えば、板状部材６１に一様に配設された円孔等であってもよい。板状部材６１は、濾材袋５０を上から押さえることにより、濾材袋５０の浮上を防止する役割を果たす。また、板状部材６１は、貫通孔６３を通じて雨水を流通させる役割を果たす。図４に示すように、板状部材６１は、板状部材６１の上面の高さが流出口２２の下端と同一またはそれ以下となるように配置される。
【００４２】
図６に示すように、持ち手６２は、一対の縦棒６４と、Ｔ字型の連結部材６６を介して両縦棒６４に接続された横棒６５とから構成されている。図７に示すように、板状部材６１には孔６７が形成されている。縦棒６４の下端部が孔６７に差し込まれることによって、持ち手６２は板状部材６１に固定されている。ここでは、縦棒６４の下端部は孔６７に差し込まれた状態で接着されている。本実施形態では、縦棒６４および横棒６５は真っ直ぐな棒であるが、縦棒６４または横棒６５は曲がった棒であってもよい。縦棒６４および横棒６５は、中実棒であってもよく、中空棒であってもよい。縦棒６４および横棒６５の断面形状は円形状でなくてもよく、例えば多角形状等であってもよい。縦棒６４、横棒６５、および連結部材６６は、塩化ビニル製である。ただし、それらは塩化ビニル以外の樹脂で形成されていてもよい。また、それらは樹脂以外の材料で形成されていてもよい。
【００４３】
連結部材６６の外側部分、すなわち、内筒４０の半径方向（図６の左右方向）の外側の部分は、外側に突出するガイド突起６６ａとなっている。このガイド突起６６ａは、内筒の係合溝４７と係合する。ガイド突起６６ａは、内筒４０の縦溝４５と係合することにより、内筒４０に対する浮上防止部材６０の抜き差しを案内する。また、ガイド突起６６ａは、内筒４０の横溝４６と係合することにより、浮上防止部材６０の回転を案内する。また、ガイド突起６６ａは横溝４６と係合することによって上下動が規制され、浮上防止部材６０の浮上を防止する。
【００４４】
浮上防止部材６０は、濾材袋５０に着脱自在に取り付けられる。本実施形態では、浮上防止部材６０は、ベルト５３によって濾材袋５０に取り付けられる。具体的には、図７に示すように、両ベルト５３を板状部材６１のいずれかの貫通孔６３に下から上に通した後、両ベルト５３を互いに固定する。本実施形態では、両ベルト５３に面ファスナー（図示せず）が設けられており、それらの面ファスナー同士を接触させることにより、両ベルト５３は互いに固定される。ただし、両ベルト５３の固定方法は何ら限定されず、例えば、両ベルト５３を結び合わせることによって固定することも可能である。このように、ベルト５３により板状部材６１と濾材袋５０とを固定することによって、浮上防止部材６０は濾材袋５０に着脱自在に取り付けられる。
【００４５】
次に、濾材袋５０を内筒４０内に収容する方法について説明する。濾材袋５０は浮上防止部材６０と共に、内筒４０の内部に収容される。濾材袋５０の収容にあたっては、予め濾材袋５０に浮上防止部材６０を取り付けておく。濾材袋５０を収容する際には、まず、作業者は、外筒３０の上端を塞いでいる蓋２５（図４参照）を取り外す。次に、作業者は、浮上防止部材６０の持ち手６２を掴み、濾材袋５０を内筒４０内に挿入する。この際、濾材袋５０の下部５２は先細り状に形成されているので、作業者は濾材袋５０を容易に挿入することができる。次に、作業者は、持ち手６２のガイド突起６６ａを、内筒４０の縦溝４５に挿入する。ガイド突起６６ａが縦溝４５の下端部に接触すると、ガイド突起６６ａが横溝４６内を移動するように、持ち手６２を回転させる。前述したように、内筒４０の上端面には目印４８が設けられている。作業者は、持ち手６２の横棒６５の両端が平面視において目印４８の位置に至るまで、持ち手６２を回転させる。これにより、ガイド突起６６ａは横溝４６の奥部、すなわち、幅広部４６ｃ内に位置する。以上により、内筒４０に対する浮上防止部材６０および濾材袋５０の取り付けが終了する。その後は、外筒３０の上端部に蓋２５を嵌め込む。なお、濾材のメンテナンス時には、上述の動作と逆の動作を行うことにより、浮上防止部材６０と共に濾材袋５０を外部に取り出すことができる。
【００４６】
次に、雨水濾過器１の作用について説明する。車道４（図１参照）に降った雨水は、車道４上に堆積した汚濁物質と共に側溝５に流れ込む。側溝５に流れ込んだ雨水は、流入管２３を通じて雨水濾過器１に流入する。図４に矢印で示すように、流入口２１から流れ込んだ雨水は、外筒３０と内筒４０との間の空間７１に流入する。空間７１に流れ込んだ雨水は、内筒４０の連通孔４１を通じて、内筒４０の内側且つ下側の空間７２に流入する。次に、この雨水は、内筒４０内を上向きに流れ、濾材袋５０を上向きに通過する。この際、雨水は濾材袋５０内の濾材によって濾過され、浄化される。浄化された雨水は、濾材袋５０から流出し、板状部材６１の貫通孔６３を上向きに通過する。板状部材６１の上側に流れ込んだ雨水は、内筒４０の流出口４２および外筒３０の流出口２２を通じて、流出管２４に流れ出る。流出管２４に流れ込んだ雨水は、側溝６（図１参照）に排出され、その後、河川等に放流等される。
【００４７】
なお、集中豪雨時等のように降雨量が多いときには、雨水濾過器１内の水位が上昇する場合がある。外筒３０内の水位が流入口２１の下端よりも高くなると、雨水の一部はオーバーフロー口４３を通じて内筒４０内に流入する。また、水位が更に上昇すると、雨水の一部は内筒４０の上端の開口を通じて内筒４０内に流入する。そのため、雨水の逆流は防止され、側溝５から車道４に雨水が溢れ出すことを防止することができる。なお、降雨時の初期には、車道４上の汚濁物質が雨水と共に排出されるため、雨水の濾過が特に必要となるが、ある程度の量の雨が降った後では、車道４上には汚濁物質はほとんど残っていない。そのため、雨水濾過器１内の水位がオーバーフロー口４３と同程度まで上昇した時には、雨水濾過器１には既に比較的きれいな雨水が流入していると考えられる。したがって、雨水濾過器１に流入した雨水が濾材を通過せずに流出したとしても、実用上問題はない。
【００４８】
以上のように、雨水濾過器１によれば、内筒４０に固定される浮上防止部材６０によって、濾材袋５０の浮上が防止される。したがって、濾材の浮上を確実に防止することができる。
【００４９】
作業者は、持ち手６２を掴みつつ、ガイド突起６６ａを内筒４０の係合溝４７に係合させながら浮上防止部材６０を移動させることによって、浮上防止部材６０を内筒４０に容易に取り付けることができる。また、その逆の動作を行うことにより、浮上防止部材６０を内筒４０から容易に取り外すことができる。濾材袋５０は浮上防止部材６０に取り付けられており、浮上防止部材６０と共に内筒４０に出し入れされる。したがって、作業者は、浮上防止部材６０を内筒４０に取り付けるだけで、濾材袋５０を所定の場所に容易に収容することができる。また、作業者は、浮上防止部材６０を内筒４０から取り外すだけで、濾材袋５０を容易に取り出すことができる。さらに、濾材袋５０は変形容易である。そのため、作業者は、大きな力を加えなくても、濾材袋５０を内筒４０に容易に挿入することができ、また、内筒４０から容易に取り出すことができる。よって、雨水濾過器１によれば、濾材の収容および取り出しが容易である。
【００５０】
内筒４０の係合溝４７は縦溝４５および横溝４６からなっており、作業者は、持ち手６２を掴み、浮上防止部材６０を下降および回転させることによって、浮上防止部材６０を内筒４０に取り付けることができる。また、持ち手６２を掴み、浮上防止部材６０を逆回転および上昇させることによって、浮上防止部材６０を内筒４０から取り外すことができる。したがって、外筒３０の上方からの作業が容易である。
【００５１】
雨水の濾過時に、雨水は濾材袋５０内を上向きに流れ、濾材袋５０は雨水から上向きの力を受ける。また、本実施形態では濾材は発泡ポリプロピレン製であり、濾材は水よりも比重が軽い。そのため、濾材には浮力も作用する。その結果、濾材袋５０には上向きの力が加わる。しかし、浮上防止部材６０を内筒４０に対して逆回転させなければ、浮上防止部材６０が内筒４０から外れることはない。そのため、濾材袋５０は上向きの力を受けるが、浮上防止部材６０によって濾材袋５０の浮上を確実に防止することができる。
【００５２】
浮上防止部材６０には、雨水を流通させるための通水孔として、多数の貫通孔６３が形成されている。貫通孔６３の開口面積の合計が小さすぎると、雨水の流通抵抗が大きくなり、集中豪雨時等の際に雨水が逆流しやすくなる。しかし、本実施形態では、浮上防止部材６０の貫通孔６３の開口面積の合計は、外筒３０の流入口２１の開口面積以上である。そのため、雨水の逆流は生じにくい。
【００５３】
また、貫通孔６３は板状部材６１の全面にわたって形成されており、多数の貫通孔６３が分散して配設されている。そのため、雨水は板状部材６１の全体を満遍なく流れやすい。したがって、濾材袋５０の一部が特定の貫通孔６３内に食い込まれることを抑えることができ、濾材袋５０の変形を抑制することができる。その結果、雨水が濾材袋５０内で偏って流れることが抑制され、濾過性能を良好に保つことができる。
【００５４】
また、板状部材６１は、平面視において内筒４０の内部の全体を覆っている（図３参照）。言い換えると、板状部材６１の平面視における外側の輪郭の形状および寸法は、内筒４０の平面視における内側の輪郭の形状および寸法と略同一である。したがって、板状部材６１と内筒４０との間の隙間はほとんどなく、濾材袋５０の一部が板状部材６１と内筒４０との間の隙間に食い込まれることを抑えることができる。このことによっても、濾材袋５０内における雨水の偏流を抑制することができ、濾過性能を良好に保つことができる。
【００５５】
持ち手６２は、縦棒６４と、縦棒６４から内筒４０の半径方向外向きに突出するガイド突起６６ａとを有している。内筒４０の係合溝４７は、内筒４０の上端から上下方向に延びる縦溝４５と、縦溝４５の下端から円周方向に延びる横溝４６とからなっている。係合溝４７は内筒４０の上端から形成されており、また、縦棒６４は上方から容易に視認することができるので、作業者は上方からガイド突起６６ａの位置を容易に把握することができる。したがって、浮上防止部材６０および濾材袋５０の取り付けおよび取り外しの作業を容易に行うことができる。
【００５６】
横溝４６の奥側には、上下の段差４６ａ，４６ｂを介して上下方向に広がる幅広部４６ｃが形成されている。浮上防止部材６０が浮いていないときには、ガイド突起６６ａは幅広部４６ｃの下側に位置する。この場合、ガイド突起６６ａは下側の段差４６ａにより、逆回転方向の移動が阻止される。一方、浮上防止部材６０が浮いているときには、ガイド突起６６ａは幅広部４６ｃの上側に位置する。この場合、ガイド突起６６ａは上側の段差４６ｂにより、逆回転方向の移動が阻止される。よって、いずれの場合であっても浮上防止部材６０の逆回転は阻止され、浮上防止部材６０が浮上して内筒４０から外れてしまうことを防止することができる。
【００５７】
濾材袋５０は、内筒４０の内径以上の外径を有する円筒状の上部５１を有している。そのため、濾材袋５０と内筒４０の内周面との間に、隙間はほとんど形成されない。したがって、雨水が濾材袋５０と内筒４０の内周面との間の隙間を通過し、十分に濾過されずに排出されてしまうことを防止することができる。また、濾材袋５０は、下方に向かって先細り状の下部５２を有している。そのため、浮上防止部材６０を下降させる際に、濾材袋５０は内筒４０内に円滑に挿入される。したがって、濾材袋５０を内筒４０内に容易に挿入することができる。
【００５８】
濾材袋５０は、通水性を有する密閉袋からなり、板状部材６１に着脱自在に取り付けられている。そのため、浮上防止部材６０および濾材袋５０を外部に取り出した後、板状部材６１から濾材袋５０を取り外し、代わりに新しい濾材袋５０を板状部材６１に取り付けることによって、濾材を容易に交換することができる。したがって、濾材のメンテナンス作業が容易となる。
【００５９】
濾材袋５０は、一対のベルト５３によって板状部材６１に取り付けられる。両ベルト５３は、板状部材６１の貫通孔６３に通され、板状部材６１の上方にて互いに固定される。したがって、板状部材６１に対して濾材袋５０を容易に着脱することができる。
【００６０】
図４に示すように、濾材袋５０の下面は、外筒３０の底面から上方に離隔している。そのため、雨水は、内筒４０の連通孔４１を通じて濾材袋５０の下方の位置に流入し、その後、濾材袋５０の下面から濾材袋５０内に流入する。その結果、雨水は濾材袋５０の下面の全体から流入し、濾材袋５０内の全域を満遍なく流通する。したがって、濾過性能の向上を図ることができる。
【００６１】
本実施形態では、内筒４０は外筒３０に対して偏心した位置に配置されており、内筒４０の流出口４２は外筒３０の流出口２２と連続している。これにより、内筒４０と外筒３０との間に形成される空間７１を、外筒３０の流入口２１側において、大きく確保することができる。そのため、流入口２１からの雨水を、上記空間７１内に円滑に導くことができる。また、上記空間７１は比較的大きいので、雨水濾過器１のメンテナンス時に上記空間７１の清掃が容易となる。
【００６２】
前記実施形態では、浮上防止部材６０の持ち手６２は、２本の縦棒６４と、連結部材６６と、１本の横棒６５とから構成されていたが、持ち手６２の構成は何ら限定される訳ではない。例えば、図８に示すように、持ち手６２は、３本の縦棒６４と、各縦棒６４の上端から内筒４０の半径方向外向きに突出するガイド突起６６ａとから構成されていてもよい。図８に示す持ち手６２には、横棒は設けられていない。作業者は、１本または２本以上の縦棒６４を掴んで、内筒４０に対し浮上防止部材６０を出し入れすることになる。なお、本変形例に係る持ち手６２には、合計３つのガイド突起６６ａが設けられている。そのため、内筒４０には、合計３つの係合溝が設けられる。
【００６３】
図５に示すように前記実施形態では、内筒４０の係合溝４７は、上下方向に延びる縦溝４５と、円周方向に延びる横溝４６とによって構成されていた。しかし、係合溝４７の形状は前記実施形態のものに限定される訳ではない。例えば図９に示すように、縦溝４５は斜め上下方向に延びていてもよい。
【００６４】
前記実施形態では、浮上防止部材６０の逆回転を防止する逆回転防止機構は、横溝４６の奥側に設けられた幅広部４６ｃによって形成されていた（図５参照）。しかし、逆回転防止機構の構成は何ら限定されない。例えば、図１０に示すように、横溝４６の上部および下部に、段差４６ａおよび４６ｂを形成する突起４６ｄを設けるようにしてもよい。本変形例では、ガイド突起６６ａが横溝４６の奥側（図１０の右側）に移動しやすいように、突起４６ｄは、縦溝４５側に斜面を有する略三角形状に形成されている。ただし、突起４６ｄの形状は特に限定されない。
【００６５】
前記実施形態では、内筒４０の係合溝４７に係合する係合突部は、持ち手６２に設けられたガイド突起６６ａであった。しかし、係合突部は、板状部材６１に設けられていてもよい。図１１に示す変形例では、板状部材６１の外周部に、係合突部としてのガイド突起６１ａが設けられている。本変形例では、合計３つのガイド突起６１ａが、円周方向に等間隔に並んでいる。図示は省略するが、内筒４０には、ガイド突起６１ａの円周方向長さに等しい幅の縦溝と、縦溝の下端から円周方向に延びる横溝とが形成されている。本変形例では、持ち手６２は、１本の縦棒６４と、縦棒６４の上端部に設けられたＴ字型の把持部６８とから構成されている。ただし、持ち手６２の構成は特に限定される訳ではない。
【００６６】
雨水管路における雨水濾過器１の配置態様は、前記実施形態のものに限定されない。例えば図１２に示すように、雨水濾過器１は、側溝５と雨水浸透槽９との間に配置されていてもよい。図１２に示す雨水管路は、配管８を介して側溝５に接続された雨水本管７と、雨水を貯留しつつ地中に浸透させる雨水浸透槽９とを備えている。雨水濾過器１の流入口２１は流入管２３を介して側溝５に接続され、流出口２２は流出管２４を介して雨水浸透槽９に接続されている。側溝５に流れ込んだ雨水の一部は、雨水本管７に流入する。側溝５に流れ込んだ雨水の残部は、雨水濾過器１で濾過された後、雨水浸透槽９に流入する。そのため、雨水浸透槽９では、雨水濾過器１で浄化された雨水を地中に浸透させることができる。
【００６７】
図１３に示す雨水管路は、雨水を貯留する雨水貯留槽１０を備えている。雨水貯留槽１０に貯留された雨水は、再利用水として各種用途に利用することができる。雨水濾過器１の流入口２１は、流入管２３および他の配管を介して、家屋等の雨樋１１等に接続されている。雨水濾過器１の流出口２２は、流出管２４を介して雨水貯留槽１０に接続されている。雨水貯留槽１０は、配管１３、ます１２、および配管１４を介して、側溝６に接続されている。雨樋１１等に回収された雨水は、雨水濾過器１で濾過された後、雨水貯留槽１０に供給される。したがって、雨水貯留槽１０には、雨水濾過器１で浄化された雨水が貯留される。雨水貯留槽１０内の雨水が所定量を超え、水位が上昇すると、余剰の雨水は配管１３、ます１２、および配管１４を通じて、側溝６に排出される。
【００６８】
雨水管路において、雨水濾過器１の上流側にフィルタますを設けてもよい。これにより、雨水に含まれる異物（例えば、枯葉等）はフィルタますで除去され、雨水濾過器１には異物を含まない雨水が流入することになる。したがって、雨水濾過器１の内部で異物が詰まったりすることが防止され、例えば、雨水濾過器１の長寿命化等を図ることができる。
【００６９】
前記実施形態では、濾材袋５０の全体が、通水性を有する材料で形成されていた。しかし、濾材袋５０は、雨水がその内部を通過するものであれば足り、その一部のみが通水性を有するものであってもよい。例えば、濾材袋５０は、その上面部および下面部のみが通水性を有し、その側面部が通水性を有さないものであってもよい。また、濾材袋５０は、その上面部と、側面の下部とが通水性を有し、その他の部分が通水性を有さないものであってもよい。
【００７０】
濾材袋５０は、上方および下方が開放されたものであってもよい。例えば、濾材袋５０は円筒状に形成されていてもよい。このような場合であっても、濾材袋５０の上部および下部に通水可能な部材（例えば、貫通孔が形成された円板等）を取り付けることにより、結果として、上部および下部が雨水の流通可能な濾材袋を形成することができる。
【００７１】
前記実施形態では、濾材袋５０の下部は先細り状に形成されていた。しかし、濾材袋５０の下部は、必ずしも先細り状でなくてもよく、外径が一定の円筒状に形成されていてもよい。内筒４０に対する挿入が容易であることが好ましいが、濾材袋５０の形状は特に限定される訳ではない。
【００７２】
前記実施形態では、濾材袋５０の下面から雨水を導入するため、濾材袋５０の下面と外筒３０の底面との間には間隔が設けられていた。しかし、上記間隔は必ずしも必要ではなく、濾材袋５０の下面と外筒３０の底面とは接触していてもよい。
【００７３】
前記実施形態では、浮上防止部材６０は濾材袋５０にベルト５３で固定されていた。しかし、浮上防止部材６０と濾材袋５０とは、他の手段で固定されてもよい。前記実施形態では、板状部材６１は濾材袋５０の外部に配置されていた。しかし、濾材袋５０は、板状部材６１を内部に収容した状態で密封されてもよい。板状部材６１は濾材袋５０の内部に配置されてもよい。また、濾材のメンテナンスを容易にする観点等から、濾材袋５０は浮上防止部材６０に対し着脱自在であることが好ましいが、濾材袋５０は必ずしも浮上防止部材６０に対して着脱自在でなくてもよい。例えば、濾材袋５０は浮上防止部材６０に接着されていてもよい。
【００７４】
前記実施形態および変形例では、浮上防止部材６０に係合突部（ガイド突起６６ａ、ガイド突起６１ａ）が設けられ、内筒４０に係合溝４７が設けられていた。しかし、内筒４０に係合突部が設けられ、浮上防止部材６０に係合溝が設けられていてもよい。
【００７５】
前記実施形態では、浮上防止部材６０の板状部材６１は、複数の貫通孔６３が形成された樹脂製の円板によって形成されていた。しかし、板状部材６１は、雨水を通過させることができ、濾材袋５０を上方から押さえることができるものであれば足り、具体的な構成は特に限定されるものではない。板状部材６１として、例えば、樹脂製または金属製のメッシュを用いることも可能である。
【００７６】
前記実施形態では、蓋２５は孔が空いていない密閉蓋であった。しかし、内筒４０の上端開口を閉塞し、蓋２５に貫通孔を形成してもよい。この場合、流入口２１から流入する雨水に加え、蓋２５の貫通孔からも雨水が流入する。雨水濾過器１は、いわゆる集水ますとしても機能することになる。
【００７７】
前記実施形態では、内筒４０は外筒３０に対して偏心した位置に配置されていた。しかし、内筒４０を外筒３０に対して同心状に配置することも可能である。前記実施形態では、内筒４０の全長は外筒３０の全長よりも短かった。しかし、内筒４０の全長と外筒３０の全長とは、略同一であってもよい。
【符号の説明】
【００７８】
１    雨水濾過器
２    雨水管路
２１    流入口
２２    流出口
２５    蓋
３０    外筒
３２    底板
４０    内筒
４１    連通孔（連通部）
４２    流出口
４７    係合溝
５０    濾材袋
６０    浮上防止部材
６１    板状部材
６２    持ち手
６３    貫通孔
６６ａ  ガイド突起（係合突部）
【図１】
2012026080.tif 000003
【図２】
2012026080.tif 000004
【図３】
2012026080.tif 000005
【図４】
2012026080.tif 000006
【図５】
2012026080.tif 000007
【図６】
2012026080.tif 000008
【図７】
2012026080.tif 000009
【図８】
2012026080.tif 000010
【図９】
2012026080.tif 000011
【図１０】
2012026080.tif 000012
【図１１】
2012026080.tif 000013
【図１２】
2012026080.tif 000014
【図１３】
2012026080.tif 000015